(57)【要約】【課題】胸の谷間が見えにくい女性用インナーを提供する。【解決手段】前身頃４の胸部裏側上端に、肌に繰り返し貼剥可能なテープ部２を有し、さらに、肌に繰り返し貼剥可能なパット部３を有し、パット部３が、両胸を覆い肌に接する側がゲル状で吸着性を有する樹脂胸形部３１と、下部が樹脂胸形部３１に接続され上部がテープ部２へ着脱自在に吊り下げる左右一対の吊り下げ部３２と、を有するものであって、テープ部２が、前身頃４との間に左右下端で吊り下げ部３２各々を着脱可能に吊り下げる吊り輪部２２を挟んで固着してある構成とする。【選択図】図２
2015168913.tif 000002
【特許請求の範囲】
【請求項１】
前身頃と、前記前身頃と側面が縫合された後身頃と、前記前身頃と前記後身頃を左右上方で繋ぐショルダー部と、を有する女性用インナーであって、前記前身頃の胸部裏側上端に、肌に繰り返し貼剥可能なテープ部を有することを特徴とする女性用インナー。
【請求項２】
さらに、前記ショルダー部裏側に、ブラジャーの紐を保持するストラップホルダを有することを特徴とする請求項１記載の女性用インナー。
【請求項３】
前記テープ部が、肌に接する側がゲル状で吸着性を有する樹脂帯部と、一対の面ファスナ部とを有し、前記面ファスナ部の一方の裏面が前記前身頃に固着してあり、前記面ファスナ部の他方の裏面が前記樹脂帯部の裏面に固着してあることを特徴とする請求項１又は請求項２記載の女性用インナー。
【請求項４】
さらに、肌に繰り返し貼剥可能なパット部を有し、
前記パット部が、両胸を覆い肌に接する側がゲル状で吸着性を有する樹脂胸形部と、下部が前記樹脂胸形部に接続され上部が前記テープ部へ着脱自在に吊り下げる左右一対の吊り下げ部と、を有するものであって、
前記テープ部が、前記吊り下げ部を着脱可能に吊り下げる吊り輪部を前記前身頃側の左右下部に有することを特徴とする請求項１から請求項３のいずれかに記載の女性用インナー。
【発明の詳細な説明】
【技術分野】
【０００１】
本発明は、女性用インナーに関する。
【背景技術】
【０００２】
女性のファッションとして、ティーシャツやブラウスやカットソー等だけでなくワンピース等も含むいわゆるトップスの中でも、胸が大きく開いたトップスや透けた素材のトップスが流行傾向で、その下に着るインナーが必須アイテムとなっている。従来から、女性用インナーとして、タンクトップやキャミソールの他、シリコンゲルブラなどが知られている（例えば、特許文献１参照）。
【先行技術文献】
【特許文献】
【０００３】
【特許文献１】特許第３７２１４２９号公報
【発明の概要】
【発明が解決しようとする課題】
【０００４】
しかし、上述した特許文献１に記載の従来の女性用インナーや従来のタンクトップやキャミソールなどの女性用インナーでは、前かがみになった時や手を交差した時などに胸の谷間が見えてしまうという問題があった。例えばタンクトップ１枚では、仕事をしている際などは特に目線も気になるし、目のやり場に困る男性もいるという問題があった。そのため、タンクトップ等の下にチューブトップを着用するなど重ね着の必要があり、夏場は特に暑くて重ね着が大変であった。暑くてもタンクトップ１枚で外に出たり走ったりすることには抵抗があり、特に胸のふくよかな女性にとっては大きな悩みであるという問題があった。
【０００５】
本発明は、上述したような課題を解決するためになされたものであり、第１の目的は、胸の谷間が見えにくい女性用インナーを得ることである。
【課題を解決するための手段】
【０００６】
本発明の第１の態様は、前身頃と、前記前身頃と側面が縫合された後身頃と、前記前身頃と前記後身頃を左右上方で繋ぐショルダー部と、を有する女性用インナーであって、前記前身頃の胸部裏側上端に、肌に繰り返し貼剥可能なテープ部を有することを特徴とする女性用インナーを提供する。
【０００７】
本発明の第１の態様の女性用インナーによれば、胸の上部で肌と女性用インナーとの間の隙間を設けないよう、身体に女性用インナーをフィットさせることができ、胸の谷間が見えにくいという効果を奏することができる。着用したときは、テープ部を肌に貼りつけるだけで完了し、脱ぐときはテープ部を肌から剥がすだけで容易に脱ぐことができる。
【０００８】
上述した本発明の第１の態様の女性用インナーは、さらに、前記ショルダー部裏側に、ブラジャーの紐を保持するストラップホルダを有することが好ましい。上述した本発明の第１の態様の女性用インナーの効果に加え、女性用インナーの中にブラジャーなど肩紐のあるものを身に着けた時に紐が外側から見えないようにした状態で保持することができる。したがって、肩紐が出ていないか確認したり紐がずれて隠し直したりする煩わしさもなく、見た目も美しく、他人の視線を気にせず安心して活動できる。
【０００９】
上述した本発明の第１の態様の女性用インナーは、また、前記テープ部が、肌に接する側がゲル状で吸着性を有する樹脂帯部と、一対の面ファスナ部とを有し、前記面ファスナ部の一方の裏面が前記前身頃に固着してあり、前記面ファスナ部の他方の裏面が前記樹脂帯部の裏面に固着してあることが好ましい。上述した本発明の第１の態様の女性用インナーの効果に加え、洗濯時に本体部分とテープ部とを分離して洗濯することができるので、テープ部の吸着性が低下しにくくなり耐用年数が増し、洗濯も容易になるという効果を奏する。
【００１０】
上述した本発明の第１の態様の女性用インナーは、また、さらに、肌に繰り返し貼剥可能なパット部を有し、
前記パット部が、両胸を覆い肌に接する側がゲル状で吸着性を有する樹脂胸形部と、下部が前記樹脂胸形部に接続され上部が前記テープ部へ着脱自在に吊り下げる左右一対の吊り下げ部と、を有するものであって、
前記テープ部が、前記吊り下げ部を着脱可能に吊り下げる吊り輪部を前記前身頃側の左右下部に有することが好ましい。上述した本発明の第１の態様の女性用インナーの効果に加え、中にブラジャーを身につけなくても胸の形がそのまま現れる心配なく着用でき、また胸の形を補正でき、さらに、ブラジャーのような締め付け感がないためリラックスできるうえ、樹脂胸形部が吊ってあるため着用途中に樹脂胸形部がずれ落ちる心配がなく、上端のテープ部との組み合わせで樹脂胸形部が女性用インナーからはみ出して見えてしまう心配もなく、安心して活動できるという効果を奏する。
【発明の効果】
【００１１】
本発明の女性用インナーによれば、胸の谷間が見えにくい。したがって女性の悩みを解決でき、安心して快適に過ごすことができる。
【図面の簡単な説明】
【００１２】
【図１】本発明の実施例１の女性用インナーの外観図である。
【図２】本発明の実施例１の女性用インナーの裏面側要部の構成説明図である。
【図３】本発明の実施例１の女性用インナーの着用状態を示す説明図である。
【図４】本発明の実施例１の女性用インナーのショルダー部裏側の要部説明図である。
【図５】本発明の実施例１の女性用インナーのテープ部の構成説明図である。
【図６】本発明の実施例１の女性用インナーのパット部の取付位置説明図である。
【発明を実施するための形態】
【００１３】
以下、本発明について、添付図面を適宜参照して実施例を用いて好適な実施の形態を具体的に説明するが、本発明はこれらに限定されるものではない。
【００１４】
｛女性用インナー：実施例１｝
本発明の実施例１の女性用インナーの構造について図を用いて説明する。図１は、本発明の実施例１の女性用インナーの外観図である。また、図２は、本発明の実施例１の女性用インナーの裏面側要部の構成説明図である。図３は、本発明の実施例１の女性用インナーの着用状態を示す説明図である。
【００１５】
本発明の実施例１の女性用インナー１は、前身頃４の胸部裏側上端に、肌に繰り返し貼剥可能なテープ部２を有し、テープ部２へ着脱自在に吊り下げたパット部３を有する。女性用インナー１は、前身頃４と、前身頃４と側面が縫合された後身頃５と、前身頃４と後身頃５を左右上方で繋ぐショルダー部６と、を有する。ショルダー部６は、前身頃４と後身頃５のいずれかあるいは両方と一体となっていてもよいし、前身頃４あるいは後身頃５とは別の服地で構成されていてもよい。本実施例では、テープ部２とパット部３は、肌に触れる面が、人間の肌に容易に貼りつけたり剥がしたりできる素材で構成される。
【００１６】
また、ショルダー部６裏側には、ブラジャーの紐を保持するストラップホルダ７を有する。図４は、本発明の実施例１の女性用インナーのショルダー部裏側の要部説明図である。ストラップホルダ７は、本実施例では、表面側両端に対となるスナップ７１を有する細いテープ状で、一方の端が裏面側をショルダー部６裏側に肩のラインと平行に縫い付けてあり、もう片方の端を折り返してスナップ７１でとめる構成となっている。女性用インナー１の中にブラジャーをつけた際、ブラジャーの紐をストラップホルダ７のスナップ７１からストラップホルダ７の中央部分の間に挟んでスナップ７１をとめてブラジャーの紐を保持する。ストラップホルダ７は、スナップ７１をとめた状態で全体がショルダー部６に隠れる長さにしてある。したがって、ストラップホルダ７によって、ブラジャーの紐がショルダー部６からはみ出すことを防止できる。
【００１７】
図５は、本発明の実施例１の女性用インナーのテープ部の構成説明図である。テープ部２は、肌に接する側がゲル状で吸着性を有する樹脂帯部２１と、一対の面ファスナ部２３とを有し、面ファスナ部２３ａの裏面が前身頃４に固着してあり、面ファスナ部２３ｂの裏面が前記樹脂帯部２１の裏面に固着してある。樹脂帯部２１の素材としては、本実施例では、市販のシリコンゲルブラと同様の素材の粘着剤の塗布層であって、面ファスナ部２３ｂの裏面であって肌に接する側に塗布してゲル状に固まった状態で構成される。吸着性があるので肌につけると隙間があかず胸の谷間を気にしなくて済む。ゲル状であることにより肌にフィットしやすく動きに柔軟に対応し、着用中の剥がれを防止できる。樹脂帯部は、本実施例での構成の他、布地を基盤として液状シリコンゴムを塗布して吸着性のあるゲル状の層を肌に接する側に設けて製造してもよく、布地を基盤として帯状に成型した吸着性を有する軟質シリコンゴムを張り付けて構成されてもよく、あるいは、帯状に成型してある軟質シリコンゴムで、肌に接する側で吸着性を有するものであってもよい。
【００１８】
図６は、本発明の実施例１の女性用インナーのパット部の取付位置説明図である。女性用インナー１のパット部３は肌に繰り返し貼剥可能であり、パット部３は、両胸を覆い肌に接する側がゲル状で吸着性を有する樹脂胸形部３１と、下部が樹脂胸形部３１に接続され上部がテープ部２へ着脱自在に吊り下げる左右一対の吊り下げ部３２と、を有する。また、テープ部２は、吊り下げ部３２を着脱可能に吊り下げる吊り輪部２２を前身頃４側の左右下部に有する。より具体的は、前身頃４側の面ファスナ部２３の裏面であって左右それぞれの吊り下げ部３２に対応する部分に下方に輪部分が来るように折り曲げた紐を、輪の部分に吊り下げ部３２が架けられるように輪の部分が下に出るようにして、紐の上部を固着してある。本実施例では、樹脂胸形部３１は、乳房の形状に合わせて両胸分一体となって成型されており、樹脂帯部２１と同様に肌と接する側には市販のシリコンゲルブラと同様の素材を用いている。樹脂胸形部３１の素材としては、本実施例では、布地を基盤として肌に触れる側に市販のシリコンゲルブラと同様の素材の粘着剤の塗布層を有し、塗布層はゲル状に固まった状態で構成される。柔軟性があって吸着性があるので、胸の形によらず肌にフィットして吸着し着用中にはがれにくい。樹脂胸形部は、本実施例での構成の他、布地を基盤として液状シリコンゴムを塗布して吸着性のあるゲル状の層を肌に接する側に設けて製造してもよく、布地を基盤として帯状に成型した吸着性を有する軟質シリコンゴムを張り付けて構成されてもよく、あるいは、胸の形に沿うように成型してある軟質シリコンゴムで、肌に接する側で吸着性を有するものであってもよい。
吊り下げ部３２は、本実施例では、フック状で、樹脂胸形部３１の左右両胸の各トップ部分の上に固着し設けられており、吊り輪部２２の中に通して吊り下げたり外したりすることができる。
【００１９】
(効果)
本発明の実施例１の女性用インナー１によれば、上述した構成であるので、テープ部によって肌に前身頃上端が吸着され、したがって、胸の谷間が見えにくい。身体を動かしたり前かがみになったりしても胸の谷間が見えにくい。よって、働く女性、ブラジャーの締め付けが嫌な女性、授乳直後の女性、すっきりとしたシルエットを期待する女性には、特に適する。
【００２０】
本実施例によれば、パット部が内蔵されているので、本発明の実施例１の女性用インナーを１枚着用すれば、胸の形が補正され安定する。また、中にブラジャーを身につけなくても胸の形がそのまま現れる心配なく着用できる。樹脂胸形部が吊ってあるため着用途中に樹脂胸形部がずれ落ちる心配がなく、上端のテープ部との組み合わせで樹脂胸形部が女性用インナーからはみ出して見えてしまう心配もなく、安心して活動できるという効果を奏する。さらに、ブラジャーのような締め付け感がないためリラックスできる。
【００２１】
本実施例によれば、パット部も樹脂帯部も簡単に取り外しできるので、洗濯が容易で繰り返しの使用に適する。樹脂帯部や樹脂胸形部の吸着性が低下しにくくなり耐用年数が増す。パット部はテープ部の下に吊ってあるため、着用途中にパット部が肌から外れて下にずれ落ちる心配がなく、安定感がある。また、上端のテープ部とパット部との組み合わせで樹脂胸形部が女性用インナーからはみ出して見えてしまう心配もなく、安心して活動できる。
【００２２】
本実施例によれば、また、ブラジャーなど肩紐のあるものを中に着る場合にはパット部を外してストラップホルダでブラジャー等の肩紐を保持できるので、ブラジャー等の肩紐のずれを防止することができる。また、パット部が前身頃裏側に吊るしてあるので、パット部がずれ落ちる心配がなく安定感がある。
【００２３】
さらに言えば、本発明の実施例１の女性用インナー１によれば、締め付け感や視線から解放され、女性が、もっと開放的に、かつアクティブに活動できる。胸の谷間を気にする必要がないため、仕事に、子育てにと、用途が広がる。また、日本人女性のもつ「たしなみ」のこころを実現することができる。
【００２４】
｛女性用インナー：実施例２｝
本実施例では、ストラップホルダがない以外は上述した実施例１と同じ構成である。本実施例によれば、胸の谷間が見えにくい。実施例１で記載したストラップホルダによる効果はないが、上述した実施例１の他の効果は奏する。
【００２５】
｛女性用インナー：実施例３｝
本実施例では、パット部がない以外は上述した実施例１と同じ構成である。本実施例によれば、胸の谷間が見えにくい。実施例１で記載したパット部による効果はないが、上述した実施例１の他の効果は奏する。
【００２６】
なお、本発明は、上記実施の形態に限定されず、その発明の趣旨を逸脱しない範囲で種々と変形実施が可能である。また、上記各実施の形態の構成要素を発明の趣旨を逸脱しない範囲で任意に組み合わせることができる。例えば、上述した実施例では、脂胸形部は両胸一体成型であるが、片胸分ずつ別々のカップに成型して互いを接続して用いてもよいし、片方ずつ自由に動くようにしてもよい。
【符号の説明】
【００２７】
１        女性用インナー
２        テープ部
２１      樹脂帯部
２２      吊り輪部
２３      面ファスナ部
３        パット部
３１      樹脂胸形部
３２      吊り下げ部
４        前身頃
５        後身頃
６        ショルダー部
７        ストラップホルダ
７１      スナップ
【図１】
2015168913.tif 000003
【図２】
2015168913.tif 000004
【図３】
2015168913.tif 000005
【図４】
2015168913.tif 000006
【図５】
2015168913.tif 000007
【図６】
2015168913.tif 000008